(57)【要約】【課題】扉が外部から不正に開けられないようにし、また扉の内方での配置スペースを大きくとらない配置構成にできる電子錠を提供する。【解決手段】本体１２の前面を開閉する前面扉１３を、外部より送信部１４１を用いて内部の受信部２３と無線で通信することにより電子ロック機構２２を施錠または解錠する電子錠であって、先端部にロック爪３２，３９を有するロックレバーＬ２，Ｌ４を回動自由に支持するリンク機構２６と、前記リンク機構２６に駆動力を伝達させてリンク動作させることにより、前記ロックレバーＬ２，Ｌ４を一方に回動させてロックする施錠位置と他方に回動させてロック解除させる解錠位置とに回動させる駆動部２５とを本体１２側に構成し、前記ロックレバーＬ２，Ｌ４のロック爪３２，３９と対応して係合するロック係合部４２を前面扉１３側に構成する。【選択図】図１１
2008261155.tif 000002
【特許請求の範囲】
【請求項１】
本体の前面を開閉する扉を、外部より送信装置を用いて内部の受信装置と無線で通信することにより扉のロック機構を施錠または解錠する電子錠であって、
先端部にロック爪を有するロックレバーを回動自由に支持するリンク機構と、
前記リンク機構に駆動力を伝達させてリンク動作させることにより、前記ロックレバーを一方に回動させてロックする施錠位置と他方に回動させてロック解除させる解錠位置とに回動させる駆動手段とを前記本体側に構成し、
前記ロックレバーのロック爪と対応して係合するロック係合部を前記扉側に構成した
電子錠。
【請求項２】
前記リンク機構は、
前記駆動手段の駆動に連動して前記本体の内側壁に沿った方向に動く駆動リンクと、
前記本体の前面に沿った方向にスライド許容されるスライドレバーと、
前記スライドレバーの一端に枢着され、中間部を回動支点とする先端部にロック爪を備え、基端部が前記駆動リンクに連結され、該駆動リンクの動きに連動して先端部側を回動させる第１ロックレバーと、
前記スライドレバーの他端に枢着され、基端部を回動支点に該スライドレバーのスライド動作に連動してロック爪が備えられた先端部側を回動させる第２ロックレバーとを設けてなる
請求項１に記載の電子錠。
【請求項３】
前記駆動手段は、
前記本体の内側壁に沿設される駆動モータと、
前記駆動モータの回転軸上に備えられるウォームギアと、
前記ウォームギアに噛合するウォームホイールとからなり、
前記ウォームホイールを前記本体の開閉対応側の内側壁に平面対向する方向に設定して沿設した
請求項１または２に記載の電子錠。
【請求項４】
前記駆動手段が前記ロックレバーを一方に回動させてロックする施錠位置または他方に回動させてロック解除する解錠位置に回動させたことを検知する検知手段を備えた
請求項１、２または３に記載の電子錠。
【請求項５】
請求項１〜４の何れか１つに記載の電子錠を備えた遊技機。
【発明の詳細な説明】
【技術分野】
【０００１】
この発明は、スロットマシン等の遊技機の扉を非接触に施錠または解錠する電子錠に関し、さらに詳しくは扉の開閉に対するセキュリティ性の高い電子錠及び遊技機に関する。
【背景技術】
【０００２】
従来よりスロットマシン等の遊技機には、扉を本体側に施錠する防犯性の高い施錠装置が組込まれている。この種の施錠装置は、扉にシリンダ錠を備え、その内部に固定設置された受け金具に対し、軸を支点に傾動させて係止または離脱するように設けられたロック用の鉤部材を設けており、鍵をシリンダ錠に差込んで回した場合に施錠または解錠される構造に設計されている(例えば特許文献１参照)。
【０００３】
しかし、不正に扉と本体との隙間から針金等を差込み、内部の鉤部材に直接力を加えて該鉤部材を傾動操作させれば合鍵を用いないで解錠されるおそれがある。ことに、鉤部材を上下に配置して構成していても、上下の鉤部材は合鍵の動きに連動して施錠または解錠動作される構成であるため、例えば下側の鉤部材が不正に傾動されると、その動きが連結杆を介して上側の鉤部材にも伝わってしまい、この結果、上下の鉤部材が共に受け金具から離脱されて扉が不正に開けられてしまう。よって、本来ならば合鍵を用いなければ解錠できないはずの施錠装置が、合鍵を用いることなく解錠されてしまう問題を有していた。
【０００４】
このほか、防犯対策を備えた施錠装置として、係止爪やリンク構造により施錠する施錠機構は不変とし、錠シリンダ部(解錠ユニット)を差し替えることにより、防犯性を高めるという手法が知られている(例えば特許文献２参照)。
【０００５】
しかし、このような手法でも、合鍵を用いない外部からの不正行為に対しては対処できない問題を有していた。例えば、不正に外部から内部の係止爪に直接力を加えて、該係止爪の係合を強制的に外して扉を開けるという不正行為に対しては何ら防止できず、セキュリティ性が低いものであった。
【０００６】
さらに、機器の防犯対策として、送信装置より送信された送信情報が内部の受信装置に受信されることで、内部のロック機構を施錠または解錠する電子錠を備えたドア用電子錠装置が知られている(例えば特許文献３参照)。
【０００７】
ところが、この種のドア用電子錠装置のロック構造は、扉側にロック機構の主要部が備えられる構成のため、外表面に近い扉の内面側に構成されるロック機構に対して不正行為がされやすい配置構成である。このため、扉のロック機構(施錠機構)が破壊されやすく、またセキュリティ性を高めるために、ロック装置や扉の強度を増大させることが考えられるが、この場合は施錠装置が大型化して本体の内部スペースを狭めたり、コスト高を誘起したりする問題が発生する。
【０００８】
【特許文献１】実開平２−３７８５号
【特許文献２】特開２００５−０９５４１９号
【特許文献３】特開平９−１７７３９６号
【発明の開示】
【発明が解決しようとする課題】
【０００９】
そこでこの発明は、扉が外部から不正に開けられないようにし、また扉のロック機能を高めたセキュリティ性の高い電子錠を提供することを目的とする。
【課題を解決するための手段】
【００１０】
この発明は、本体の前面を開閉する扉を、外部より送信装置を用いて内部の受信装置と無線で通信することにより扉のロック機構を施錠または解錠する電子錠であって、先端部にロック爪を有するロックレバーを回動自由に支持するリンク機構と、前記リンク機構に駆動力を伝達させてリンク動作させることにより、前記ロックレバーを一方に回動させてロックする施錠位置と他方に回動させてロック解除させる解錠位置とに回動させる駆動手段とを前記本体側に構成し、前記ロックレバーのロック爪と対応して係合するロック係合部を前記扉側に構成した電子錠であることを特徴とする。
【００１１】
この電子錠は扉の外部から無線で通信して内部のロック機構を施錠または解錠するものであり、ＩＣタグ、非接触式カード、リモートコントローラ等の送信装置を用いて遠隔位置から容易に操作することができる。この場合、ロック機構の主要部を本体側に配設し、ロック機構の一部を扉側に配設しているので、ロック機構の主要部は外部の扉側からは遠くなり、本体側で保護された状態に配設されて不正行為を防止するのに適した配置構成となる。このため、ロック機構に対する外部からの不正行為を困難にし、セキュリティ性が高い電子錠にすることができる。
【００１２】
この発明の態様として、前記リンク機構は、前記駆動手段の駆動に連動して前記本体の内側壁に沿った方向に動く駆動リンクと、前記本体の前面に沿った方向にスライド許容されるスライドレバーと、前記スライドレバーの一端に枢着され、中間部を回動支点とする先端部にロック爪を備え、基端部が前記駆動リンクに連結され、該駆動リンクの動きに連動して先端部側を回動させる第１ロックレバーと、前記スライドレバーの他端に枢着され、基端部を回動支点に該スライドレバーのスライド動作に連動してロック爪が備えられた先端部側を回動させる第２ロックレバーとを設けて構成することができる。
【００１３】
前記第１ロックレバーはスライドレバーを介さず、駆動リンクに連結されて駆動リンクの動きを直接受けて回動するリンク構成であるのに対し、前記第２ロックレバーは、第１ロックレバーの動きに連動してスライドするスライドレバーのスライドする動きに連動して回動するリンク構成である。よって、第１ロックレバーが回動しないと第２ロックレバーは回動しないことになる。
【００１４】
この発明の態様として、前記駆動手段は、前記本体の内側壁に沿設される駆動モータと、前記駆動モータの回転軸上に備えられるウォームギアと、前記ウォームギアに噛合するウォームホイールとからなり、前記ウォームホイールを前記本体の開閉対応側の内側壁に平面対向する方向に設定して沿設することができる。
【００１５】
この発明によると、駆動モータからの出力伝達部材として設けられるウォームホイールが、本体の開閉対応側の内側壁に沿った状態で回動する配置構成となるため、駆動手段を本体の内部空間の一方の内側壁に集約させて配置することができる。このため、本体の内部空間を大きく取らず、薄型の駆動手段として配置できる。
【００１６】
この発明の態様として、前記駆動手段が前記ロックレバーを一方に回動させてロックする施錠位置または他方に回動させてロック解除する解錠位置に回動させたことを検知する検知手段を備えて構成することができる。
【００１７】
この発明によると、ロックレバーの回動位置を検知手段で検知できるのでロックレバーが施錠位置か解錠位置かの位置情報を正確に取得できる。このため、ロックレバーのロック状態を正確に監視できるほか、ロックレバーを初期セットする場合は回動位置情報からロックレバーを正確に初期セットすることができる。
【００１８】
このように構成された電子錠を遊技機に組込めば、扉に対する防犯性及び信頼性の高い遊技機を実現できる。
【発明の効果】
【００１９】
この発明によれば、ロック機構に対する外部からの不正行為を困難にし、セキュリティ性の高い電子錠を構築できる。
【実施例】
【００２０】
この発明の一実施例を以下図面に基づいて説明する。  
図１はスロットマシンの内部を開放して示す斜視図である。このスロットマシン１１の内部を開閉する開閉構造は、箱形状を有する本体１２の前面開口部を、該本体１２の前面に取付けられて片開き式に開閉する前面扉１３により開閉操作される。この前面扉１３を開けた本体１２側の内部空間の上部には、３列を１組として組込まれたリール部１４を設置し、下部中央にメダルを取り込み及び払出処理するメダル払出装置１５を設置し、その左側に電源装置１６を設置し、右側にオーバフロータンク１７を設置している。
【００２１】
一方、前面扉１３側には、遊技操作面としての前面に図示しない遊技操作部が備えられ、後面の上部より下部にかけてリール表示窓１８と、メダルの適否を選別する投入メダル選別装置(メダルセレクタ)１９と、メダル返却通路２０等を有している。そして、本体１２側の前記リール部１４の外周面に備えられた絵柄１４ａを回転・停止させて遊技利用を行う。
【００２２】
さらに、このスロットマシン１１の本体１２には電子錠を組込んで、前面扉１３を非接触に開閉する施錠構造を有している。この施錠構造は前面扉１３を本体１２側で片開き式に支持する側とは反対側の本体の内側壁(図１の右側)２１に、電子錠の主構成部である電子ロック機構２２を備えている。また、該電子ロック機構２２と対応する前面扉１３には後述するロック係合部(図６参照)４２を備えている。そして、前面扉１３の後面上部に電子錠情報通信用のアンテナを備えた受信部２３を備えている。
【００２３】
図２は本体に取り付けられる電子ロック機構を示す斜視図である。この電子ロック機構２２は、本体右側の内側壁２１の上側に制御部２４を配設し、その下側に駆動部２５を配設し、本体右側の内側壁２１の前部に縦方向に沿ってリンク機構２６を配設している。
【００２４】
前記制御部２４は、送信部１４１(図１４参照)から受信部２３に電子錠情報が送信されたとき、その電子錠情報を照合し、有効と判定すれば、前記駆動部２５に対して施錠または解錠する信号を出力する。
【００２５】
図３は電子ロック機構の駆動部とリンク機構を内部側から見た斜視図、図４は電子ロック機構の駆動部とリンク機構を外部側から見た斜視図、図５は電子ロック機構の駆動部とリンク機構を外部側から見た分解斜視図である。前記駆動部２５は、駆動モータＭと、ウォームギアＧ１と、ウォームホイールＧ２と、第１検知センサＳ１と、第２検知センサＳ２とをベース２７に搭載し、またこれらを箱形状のカバー２８で覆って構成している。
【００２６】
前記ベース２７は平板状を有し、該ベース２７の平板面を前記内側壁２１に平面対応させた状態でビス止めして一体に取付けている。このベース２７に前記駆動モータＭの軸方向を上下方向に設定して固定し、該駆動モータＭの上下方向に突出する回転軸２９の上端部にウォームギアＧ１を固定し、下端部に保守用の手動操作円盤３０を固定している。
【００２７】
前記ウォームギアＧ１と噛合する対応位置には、ウォームホイールＧ２を対設させてウォームギアＧ１の駆動によりウォームホイールＧ２を正逆転自在に回動させる出力構造を有している。このウォームホイールＧ２には後述するリンク機構２６が連結され、駆動モータＭの出力がウォームギアＧ１及びウォームホイールＧ２を介してリンク機構２６に伝達される。
【００２８】
さらに、ウォームホイールＧ２には該ウォームホイールＧ２の軸心を中心とする扇形の第１検知片３１ａと第２検知片３１ｂとを一体に取付けており、これらの両検知片３１ａ，３１ｂの回動軌跡上に、第１検知センサＳ１と第２検知センサＳ２が配設されている。そして、これら両検知センサＳ１，Ｓ２の検知信号によって、駆動モータＭの出力が施錠動作を完了した位置か、解錠動作を完了した位置か、あるいはその途中の位置かを制御部２４で判断する。
【００２９】
この場合、駆動モータＭの軸方向を上下方向に設定して内側壁２１に沿わせた状態に配置する。また、駆動モータＭより動力伝達される動力伝達部材においても内側壁２１に沿わせた向きに配置して薄型化を図っている。具体的には、駆動モータＭの駆動力を受けて連動して回転するウォームホイールＧ２と、駆動リンク片Ｌ１及び下ロックレバーＬ２が回転する方向を内側壁２１と平行する向きに設定して沿設する。よって、これらの駆動伝達部材は内側壁２１に沿って動くため薄型の構成部材となって配置でき、本体１２の内部スペースを大きく取らない薄型の駆動部２５として配置できる。
【００３０】
また、駆動部２５の動力伝達部材としてウォームギアＧ１を採用することにより、該ウォームギアＧ１の噛合特性からウォームギアＧ１側からのみ回転し、他側からは回転力を受付けない。このため、外部から前面扉１３をこじ開けようとするような不正な外力を加えても、ウォームギアＧ１は回転せず、その外力の伝達を阻止する不正対策に適した動力伝達構造となる。
【００３１】
前記リンク機構２６は、駆動リンク片Ｌ１と、下ロックレバーＬ２と、スライドレバーＬ３と、上ロックレバーＬ４とから構成される。  
前記駆動リンク片Ｌ１は、長尺板状を有してウォームホイールＧ２と下ロックレバーＬ２との間を動力伝達可能に連結し、ウォームホイールＧ２の回転運動に該駆動リンク片Ｌ１が追従して回動し、この回動力を受けた下ロックレバーＬ２を回動させてロック・ロック解除させる役目を有している。
【００３２】
前記下ロックレバーＬ２は、先端部に下面を切欠いたロック爪３２を有し、基端部に前記駆動リンク片Ｌ１と回動自由に接続される枢着部３３を有し、中間部に該下ロックレバーＬ２の回動支点となる支点ピン３４を有している。そして、この支点ピン３４を前記ベース２７の前部側に枢着させて、駆動リンク片Ｌ１からの回転伝達力を下ロックレバーＬ２が受けたとき、該下ロックレバーＬ２は支点ピン３４を回動支点に回動する。その回動領域は下ロックレバーＬ２がロック対応する位置となる水平位置と、先端のロック爪３２が斜め上向きに傾斜したロック解除位置となる傾斜位置との間で回動させる。
【００３３】
前記スライドレバーＬ３は、高さ方向に細長く延びる長尺板にて形成され、該スライドレバーＬ３の下端部と前記下ロックレバーＬ２の中間部とが交差する逆Ｔ字形の位置を枢支ピン３５によって枢着している。よって、このスライドレバーＬ３は下ロックレバーＬ２からの回動力を受けて上下方向にスライドする構成を有している。
【００３４】
このスライドレバーＬ３のスライドに際して、前記ベース２７の前端側には上下方向にコ型状の空間部が形成された下部ガイドレール３６を有し、ここにスライドレバーＬ３の下部側が上下方向にスライドガイドされる。また、該スライドレバーＬ３の下部を枢支する枢支ピン３５が、前記ベース２７の前部側に縦長に開口されている昇降ガイド孔３７にガイドさせて、該スライドレバーＬ３を枢支ピン３５の上下動ストロークだけ上下動許容している。さらに、スライドレバーＬ３の上部側は内側壁２１に固定されている縦長の本体ガイドフレーム(図５参照)３８によって上下方向がガイドされている。
【００３５】
前記上ロックレバーＬ４は、先端部に下面を切欠いたロック爪３９を有し、基端部に前記スライドレバーＬ３の上端部と回動自由に接続される枢着部４０を有し、中間部に該上ロックレバーＬ４の回動支点となる支点ピン４１を有している。そして、この支点ピン４１を前記本体ガイドフレーム３８の上部に枢着させて、スライドレバーＬ３からの上下動による伝達力を該上ロックレバーＬ４が受けたとき、該上ロックレバーＬ４は支点ピン４１を回動支点に回動する。その回動領域も前記下ロックレバーＬ２と同様に、該上ロックレバーＬ４がロック対応する位置となる水平位置と、先端のロック爪３９が斜め上向きに傾斜したロック解除位置となる傾斜位置との間で回動させる。
【００３６】
この場合、上ロックレバーＬ４は、駆動リンク片Ｌ１と下ロックレバーＬ２とを経由した回動力を受けて上下動するスライドレバーＬ３の動きに追従して回動するリンク構成であるのに対し、下ロックレバーＬ２は駆動リンク片Ｌ１からの動きを直接受けて回動するリンク構成である。よって、両ロックレバーＬ２，Ｌ４の動きは同一の駆動源でありながら、スライドレバーＬ３の上下でロックする上下のロック爪３９，３２をロック動作させるリンク機構２６を有している。
【００３７】
図６は前面扉側に備えられるロック係合部を示す要部拡大斜視図である。該前面扉１３側に備えられるロック係合部４２は、前記縦長の本体ガイドフレーム３８と対応する前面扉１３側に同じく縦長の扉フレーム４３を配設し、この扉フレーム４３の上部と下部に各ロック係合部４４，４５を構成するものであって、該扉フレーム４３の上部に上ロックレバーＬ４と対応してロックする上ロック係合部４４を配設し、該扉フレーム４３の下部に下ロックレバーＬ２と対応してロックする下ロック係合部４５を配設している。
【００３８】
そして、前面扉１３の開閉に際して、上下の位置でロック係合部４４，４５にロック・ロック解除する両ロックレバーＬ２，Ｌ４の動きは、駆動モータＭからの駆動力を受けた際に同期して回動し、両ロックレバーＬ２，Ｌ４が同時にロック動作またはロック解除動作を行う。
【００３９】
図７は上ロックレバーのロック状態を示す要部斜視図、図８は上ロックレバーのロック解除状態を示す要部斜視図である。上ロック係合部４４は、コ型状に突出する固定係合部４６を上ロックレバーＬ４が対応する扉フレーム４３の高さ位置に配設し、この固定係合部４６のコ型空間部に、該固定係合部４６よりやや小さいコ型状の可動係合部４７を上下方向にスライド許容して配置し、該可動係合部４７の上端部をロック爪係合用に固定係合部４６より上方に突出させている。
【００４０】
そして、この突出した可動係合部４７の上端部に上ロックレバーＬ４のロック爪３９が上方より係合してロックされる。このロック爪３９が係合する可動係合部４７に対しては滑らかな可動係合作用を得るため、上部が扉フレーム４３の連結片４３ａに連結され、下部が可動係合部４７の連結片４７ａに連結されて上下方向に伸縮許容するコイル状のスプリング４８が取付けられている。
【００４１】
そして、ロック爪３９が係合されていない場合は、スプリング４８が無負荷の状態に有り、ロック爪３９と可動係合部４７との係合時に該可動係合部４７が下向きの負荷を受けた場合に、該可動係合部４７が下向きにスライド退避するように該スプリング４８の収縮力に抗して係合代分を下動させ、可動係合部４７を緩やかに下動させる。
【００４２】
さらに、扉フレーム４３には上部開閉対応面に扉検知片４９を突出しており、この扉検知片４９が本体ガイドフレーム３８に取付けられている光電検知用の扉上部検知センサＳ３によって検知されることにより前面扉上部での開閉動作が検知される。
【００４３】
また、扉フレーム４３には上部に高さ位置合せ用の水平な開閉案内板５０を有しており、この開閉案内板５０の下面と対応する本体ガイドフレーム３８にはプラスチックベアリング５１が取付けられており、前面扉１３の開閉時に開閉案内板５０の下面とプラスチックベアリング５１の上面とが対応して前面扉１３は高さ位置合せしながら円滑に開閉操作される。
【００４４】
さらに、ロック爪３９の三角にとがった先端の傾斜部分に沿って側面に折れ曲がって一の字に傾斜突片５２を突出させている。この傾斜突片５２は、可動係合部４７の受け側となる上端面４７ｂとの接触時に傾斜接触面積を広くとって受け側の摩耗を防ぐ役目を有すると共に、上ロックレバーＬ４が可動係合部４７より離脱して後退したときに、本体ガイドフレーム３８の戻り規制突片５３(図８参照)に該傾斜突片５２を係止させて、上ロックレバーＬ４をロック解除待機位置に待機させる役目を有している。
【００４５】
また、上ロックレバーＬ４をスライドレバーＬ３に枢支させる枢支ピン４１は、本体ガイドフレーム３８に縦長に開口されている昇降ガイド孔５４の上下間を移動する。
【００４６】
図９は下ロックレバーのロック状態を示す要部斜視図、図１０は下ロックレバーのロック解除状態を示す要部斜視図である。下ロック係合部４５は、下ロックレバーＬ２と対応する扉フレーム４３の高さ位置に配設され、前記上ロック係合部４４と同じロック係合構造を有するものである。よって、前記上ロック係合部４４と同じロック係合作用を行うため、同じ説明については同一の符号を用いてその説明を省略する。
【００４７】
前述の上ロックレバーＬ４のロック爪３９が可動係合部４７にロックする時に該可動係合部４７が下動対応してロック動作し、この上部でのロック動作と同様に下部においても下ロックレバーＬ２のロック爪３２に可動係合部４７が可動対応して同様にロック動作し、これらのロック動作上ロック係合部４４と下ロック係合部４５とで個別に行われるため、上下で独立したロック動作となり、電子ロック機構２２に対する扉外部からの不正行為を、より困難にすることができる。
【００４８】
さらに、扉フレーム４３には下部開閉対応面に扉検知片５５(図６参照)を突出しており、前面扉１３を閉鎖した時に該扉検知片５５が、本体ガイドフレーム３８側に取付けられている光電検知用の扉下部検知センサＳ４によって検知される。これにより、前面扉下部での開閉動作が検知される。また、扉フレーム４３の下部開閉対応面には前面扉１３を開く時に、前面扉１３を開方向に押し出す押出棒５６が備えられている。
【００４９】
図１１は電子ロック機構がロックしている時の検知状態を示す要部側面図、図１２は電子ロック機構がロック解除途中である時の検知状態を示す要部側面図、図１３は電子ロック機構がロック解除完了した時の検知状態を示す要部側面図である。上ロックレバーＬ４と共に下ロックレバーＬ２が前面扉１３をロックしている状態では、図１１に示すように、第１検知センサＳ１の光軸が第１検知片３１ａにより遮光され、第２検知センサＳ２の光軸が第２検知片３１ｂにより遮光された両遮光状態にある。そして、下ロックレバーＬ２がロック解除され始めるロック解除途中時では、図１２に示すように、第１検知センサＳ１が第１検知片３１ａを検知しない透光状態と、第２検知センサＳ２の光軸が第２検知片３１ｂにより遮光された遮光状態との片遮光状態にある。さらに、下ロックレバーＬ２が完全にロック解除されたロック解除完了時では、図１３に示すように、第１検知センサＳ１が第１検知片３１ａを検知せず、第２検知センサＳ２も第２検知片３１ｂを検知しなくなった両透光状態にある。
【００５０】
図１４は電子錠の制御回路ブロック図である。この電子錠の制御部２４は無線により通信されるＩＣタグや非接触式カード等の送信部(無線通信媒体)１４１から送信された信号を、受信部２３のアンテナを介して受信し、この受信した信号の適否を制御部２４が判定し、適正な信号と判定した場合は駆動モータＭを駆動してウォームギアＧ１及びウォームホイールＧ２を回転させて駆動出力し、このとき回転されたウォームホイールＧ２の回転位置を第１検知センサＳ１及び第２検知センサＳ２で検知することにより、各ロックレバーＬ２，Ｌ４が回動されてロック動作またはロック解除動作したことを確認する。また、扉上部検知センサＳ３及び扉下部検知センサＳ４の検知信号によって前面扉１３が本体１２より開閉操作されたことを確認する。
【００５１】
このように構成された電子ロック機構２２は、駆動部２５やリンク機構２６のロック動作する主要部を本体１２側に配設し、電子ロック機構２２の固定部であるロック係合部４２を前面扉１３側に配設しているので、電子ロック機構２２の主要部は外部の前面扉１３側からは遠くなり、本体１２側の内部で保護された状態にあり、外部からの不正行為を防止するのに適した配置構成となる。このため、電子ロック機構２２に対する外部からの不正行為を困難にし、セキュリティ性の高い電子錠を構築できる。
【００５２】
次に、電子ロック機構２２の施錠位置出し動作を図１５のフローチャートを参照して説明する。  
遊技ホールの営業開始時等にスロットマシン１１の電源をＯＮした場合(ステップｎ１)、この電源ＯＮに基づいて制御部２４は駆動モータＭを駆動し、ウォームギアＧ１及びウォームホイールＧ２を回転させる(ステップｎ２)。
【００５３】
このとき、ウォームギアＧ１及びウォームホイールＧ２を回転させる方向は、スロットマシン１１の電源をＯＮしたときの第１検知センサＳ１と第２検知センサＳ２の検知状態によって決まる。  
例えば、第１検知センサＳ１が第１検知片３１ａを検知していて、第２検知センサＳ２が第２検知片３１ｂを検知していていれば、ウォームギアＧ１及びウォームホイールＧ２を正回転させる。このウォームホイールＧ２が回転したとき、制御部２４は該ウォームホイールＧ２と一体に回転する第１検知片３１ａと第２検知片３１ｂが、第１検知センサＳ１と第２検知センサＳ２との双方を共に遮光する位置まで駆動モータＭを出力させる (ステップｎ３)。
【００５４】
そして、これら両検知センサＳ１，Ｓ２が共に遮光されると、制御部２４は電子ロック機構２２がロック動作を完了し、前面扉１３が閉鎖された状態であると判断し、駆動モータＭの出力を停止させる(ステップｎ４)。これにより、制御部２４は電子ロック機構２２の施錠位置出しが完了したと判断することができ、電源ＯＮに伴い自動的に電子ロック機構２２の初期設定が完了する(ステップｎ５)。
【００５５】
ところで、このような施錠位置出し動作に伴ってロックされる電子ロック機構２２のロック状態では、上ロックレバーＬ４との間で上下動しながら係合する可動係合部４７との上部係合作用と、下ロックレバーＬ２との間で上下動しながら係合する可動係合部４７との下部係合作用とにより、上下で独立してロックされる構成を有しているため、ロック性能を高めることができる。
【００５６】
ことに、駆動部２５からリンク機構２６への動力伝達に際しては、駆動モータＭからウォームギアＧ１及びウォームホイールＧ２を介してリンク機構２６へと動力伝達するため、このウォームギアＧ１とウォームホイールＧ２との噛合特性の性質から可逆伝達阻止機能が働いて、出力側から逆向きの外力が加わっても阻止することができる。よって、前面扉１３を不正に開操作しようと試みられても、その強制的な不正を阻止する不正対策に優れたロック構造が得られる。
【００５７】
次に、電子ロック機構２２の解錠処理動作を図１６のフローチャートを参照して説明する。  
送信部１４１から受信部２３に解錠信号が送信されると(ステップｎ１１)、その信号は受信部２３で受信され、制御部２４で予め登録された登録済の信号であるか否かを照合し、適正と確認すると、制御部２４は駆動モータＭを正転させてウォームギアＧ１及びウォームホイールＧ２を正回転させる(ステップｎ１２)。これに基づいて制御部２４は第１検知センサＳ１と第２検知センサＳ２とが遮光状態から両透光状態になるまで駆動出力する(ステップｎ１３)。
【００５８】
そして、制御部２４が両検知センサＳ１，Ｓ２からの透光信号と、上扉開閉検知センサＳ３及び下扉開閉検知センサＳ４からの透光信号を検知確認すれば(ステップｎ１４)、電子ロック機構２２のロックが解錠されて、前面扉１３が本体１２より開操作されていると判断することができる。その後、制御部２４は次に前面扉１３が開操作されるのに備えて、駆動モータＭを逆回転させて下ロックレバーＬ２及び上ロックレバーＬ４をロック係合可能な水平状態のロック位置に戻して直ちにロックできるようにする(ステップｎ１５)。そして、両検知センサＳ１，Ｓ２が遮光されると、両ロックレバーＬ２，Ｌ４がロック位置に待機されたと確認することができ(ステップｎ１６)、電子ロック機構２２による前面扉１３の解錠動作が完了する(ステップｎ１７)。
【００５９】
上述のように、電子ロック機構の主要部を本体側に配置して、外部の前面扉側からは遠くなる位置関係にあるため、外部から電子ロック機構に対する不正行為を困難にしてセキュリティ性の高い電子錠を構築できる。また、電子ロック機構の主要部を本体側に配置する際も、本体側の内側壁に沿設される配置構成のため薄型化が図れ、本体の内部スペースを狭めない利点を有している。
【００６０】
この発明の構成と、上述の一実施例の構成との対応において、
この発明の扉は、実施例の前面扉１３に対応し、
以下同様に、
ロック機構は、電子ロック機構２２に対応し、
送信装置は、送信部１４１に対応し、
受信装置は、受信部２３に対応し、
第１ロックレバーは、下ロックレバーＬ２に対応し、
第２ロックレバーは、上ロックレバーＬ４に対応し、
駆動手段は、駆動部２５に対応し、
ロック係合部は、ロック係合部４２及び上ロック係合部４４と下ロック係合部４５に対応し、
検知手段は、第１検知センサＳ１と第２検知センサＳ２に対応し、
遊技機は、スロットマシン１１に対応するも、この発明は請求項に示される技術思想に基づいて応用することができ、上述の一実施例の構成のみに限定されるものではない。例えば、スロットマシン１１に限らず、パチンコ機などの他の遊技機にも適用できるほか、自動販売機などの本体と扉からなる開閉構造を有するものであれば何れの構造物にも適用できる。
【図面の簡単な説明】
【００６１】
【図１】スロットマシンの内部を開放して示す斜視図。
【図２】本体に取付けられる電子ロック機構の主要部を示す斜視図。
【図３】電子ロック機構の駆動部とリンク機構とを内部側から見た斜視図。
【図４】電子ロック機構の駆動部とリンク機構とを外部側から見た斜視図。
【図５】電子ロック機構の駆動部とリンク機構を示す分解斜視図。
【図６】ロック係合部側を一部省略して示す要部拡大斜視図。
【図７】上ロックレバーのロック状態を示す要部斜視図。
【図８】上ロックレバーのロック解除状態を示す要部斜視図。
【図９】下ロックレバーのロック状態を示す要部斜視図。
【図１０】下ロックレバーのロック解除状態を示す要部斜視図。
【図１１】電子ロック機構がロック時の検知状態を示す要部側面図。
【図１２】電子ロック機構がロック解除途中である時の検知状態を示す要部側面図。
【図１３】電子ロック機構がロック解除完了した時の検知状態を示す要部側面図。
【図１４】電子錠の制御回路ブロック図。
【図１５】電子ロック機構の施錠位置出し動作を示すフローチャート。
【図１６】電子ロック機構の解錠処理動作を示すフローチャート。
【符号の説明】
【００６２】
１１…スロットマシン
１２…本体
１３…前面扉
２１…内側壁
２２…電子ロック機構
２５…駆動部
２６…リンク機構
３２，３９…ロック爪
４２，４４，４５…ロック係合部
Ｌ１…駆動リンク
Ｌ２，Ｌ４…ロックレバー
Ｌ３…スライドレバー
Ｓ１，Ｓ２…検知センサ
【図１】
2008261155.tif 000003
【図２】
2008261155.tif 000004
【図３】
2008261155.tif 000005
【図４】
2008261155.tif 000006
【図５】
2008261155.tif 000007
【図６】
2008261155.tif 000008
【図７】
2008261155.tif 000009
【図８】
2008261155.tif 000010
【図９】
2008261155.tif 000011
【図１０】
2008261155.tif 000012
【図１１】
2008261155.tif 000013
【図１２】
2008261155.tif 000014
【図１３】
2008261155.tif 000015
【図１４】
2008261155.tif 000016
【図１５】
2008261155.tif 000017
【図１６】
2008261155.tif 000018